(57)【要約】      （修正有）【課題】ベゼルの回転止めとその解除のための操作が容易であるとともに、回転止めの信頼性及び耐久性が高い時計を提供する。【解決手段】回転の方向に並んだ複数の凹凸からなる位置決め部３７及びロック部３８をベゼルの裏面に形成する。位置決め部３７に係脱して、ベゼル３５の回転が停止された位置にベゼル３５を保持するクリックストップ機構（位置決め手段）２５を胴１６に取付ける。ロック部材５１を胴１６とベゼル３５の裏面との間に胴１６の径方向に移動可能に配置する。部材５１は、ベゼル３５の外周側から押込み操作される操作凸部５３、５４、保持溝（保持部）５６、ロック部３８に挿脱されるストッパ部５５を有する。ストッパ部５５がロック部３８に係合する位置にロック部材５１が移動されたときに保持溝５６に係合しロック部材５１を保持するクリックストップ機構（保持手段）３１を胴１６に取付ける。【選択図】図３
2008275532.tif 000002
【特許請求の範囲】
【請求項１】
カバーガラスを囲むベゼル配置部が形成された胴と、
この胴に対し回転操作可能に前記ベゼル配置部に配置され、ベゼル配置部の底面に対向する裏面に、前記回転の方向に並んだ複数の凹凸からなる位置決め部及び前記回転の方向に並んだ複数の凹凸からなるロック部が形成されたベゼルと、
前記胴に取付けられ、前記ベゼルの時計回り及び反時計回りの回転を許容するとともに前記ベゼルの回転が停止されたときにその位置に前記ベゼルを保持するように前記位置決め部に弾発的に係脱される位置決め手段と、
前記胴と前記ベゼルの裏面との間に前記ベゼルの径方向に移動可能に配置されるとともに、この移動のために前記ベゼルの外周側から交互に押込み操作される一対の操作凸部、前記移動に伴い前記ロック部に挿脱されるストッパ部、及び保持部を有したロック部材と、
前記保持部に係脱されるように前記胴に取付けられ、前記ストッパ部が前記ロック部に係合する位置に前記ロック部材が移動されたときに前記保持部に弾発的に係合して前記ロック部材を保持する保持手段と、
を具備した時計。
【請求項２】
前記ベゼルの外周部を正面側から保持する環状のベゼルホルダを前記胴に固定し、このベゼルホルダの径方向に対応する位置にガイド溝を設け、前記操作凸部を前記ガイド溝に挿入して前記ベゼルホルダから突出可能とした請求項１に記載の時計。
【請求項３】
前記ベゼルホルダから突出される前記操作凸部を１２時‐６時方向に配置した請求項１又は２に記載の時計。
【請求項４】
前記操作凸部の夫々に互いに異なる表示を付した請求項３に記載の時計。
【請求項５】
前記位置決め部と前記ロック部とを前記ベゼルの半径方向に沿って連続して形成した請求項１から４の内のいずれか一項に記載の時計。
【請求項６】
前記位置決め手段を、球体からなり前記位置決め部に係脱される第１クリック部材と、この第１クリック部材を回転可能に支持して前記ベゼルの裏面に押付けるクリック用付勢体とで形成した請求項１から５の内のいずれか一項に記載の時計。
【請求項７】
前記保持部を前記ロック部材の裏面に開放する溝又は孔で形成するとともに、前記保持手段を、球体からなり前記保持部に係脱される第２クリック部材と、このクリック部材を回転可能に支持して前記ロック部材の裏面に押付ける保持用付勢体とで形成した請求項１から６の内のいずれか一項に記載の時計。
【請求項８】
前記ロック部材の裏面に開放する溝又は孔で形成されるとともに、前記ストッパ部が前記ロック部から離脱した位置に前記ロック部材が移動されたときに前記保持手段が係合される他の保持部を、前記ロック部材に設けた請求項１から７の内のいずれか一項に記載の時計。
【請求項９】
前記位置決め部及び位置決め手段を前記ベゼルの内周寄りに設けるとともに、前記ロック部及び保持手段を前記ベゼルの外周寄りに設けた請求項１から８の内のいずれか一項に記載の時計。
【請求項１０】
前記ベゼルホルダから突出された前記操作凸部の裏面を覆う裏面カバー部を、前記胴に一体に設けた請求項２から９内のいずれか一項に記載の時計。
【請求項１１】
前記ベゼルホルダから突出された前記操作凸部の両側面を覆う側面カバー部を、前記ベゼルホルダに一体に設けた請求項２から１０の内のいずれか一項に記載の時計。
【発明の詳細な説明】
【技術分野】
【０００１】
本発明は、回転操作されるベゼルを備えた携帯時計等の時計に関する。
【背景技術】
【０００２】
従来、使用者によって任意に回転操作されたベゼルが、その回転位置から不用意に動かないようにした時計が知られている（例えば、特許文献１参照。）。
【０００３】
特許文献１の時計では、胴に設置されたカバーガラスを囲んでベゼルを回転操作可能に配置し、このベゼルの内周に設けた規制突起を、胴のカバーガラスを囲んだ部位の外周に設けた規制突起に下側から係合させて、胴に対してベゼルが上方向に外れないよう保持するとともに、カバーガラスを囲んだ前記部位の下部外周にネジ部を形成している。そして、胴とベゼルとの間にネジ部に螺合するネジリングを回転操作可能に配置している。
【０００４】
この特許文献１の時計によれば、ネジリングを回転操作してベゼルの下面からネジリングを離すことにより、ベゼルの回転操作が許容される。この逆に、ネジリングを逆方向に回転操作してベゼルの下面に押付けてベゼルを押上げることにより、前記規制突起同士を当接させてベゼルを胴に固定することができる。
【特許文献１】特開平１１−１１８９５１号公報（段落00２５−00５１、図１−図５）
【発明の開示】
【発明が解決しようとする課題】
【０００５】
従来の技術では、ネジリングとベゼル下面と間の摩擦力と、胴とベゼルの双方の規制突起間の摩擦力で、ベゼルを回らないように固定しているため、この固定が完了する直前にネジリングの回転操作力がベゼルに加わり、それが次第に大きくなることは避けられない。それにより、ベゼルが回転操作されるネジリングに連れ回りして、所望とする位置からずれる恐れが高い。
【０００６】
更に、従来の技術では、ネジリングを回転操作するので、操作上不便であるだけではなく、ネジリングの回転操作が重くなることで、ベゼルが固定状態となったことを使用者が判断しているため、この判断はばらつき易い。それにより、ベゼルの固定に過不足を生じる可能性があるとともに、ねじリングが弛む可能性も高い。
【０００７】
しかも、従来の技術では、ベゼルを固定するためのネジリングの押上げ力を、胴とベゼルの双方の規制突起で受けている。これらの規制突起は小さく強度が低いので、ベゼルが繰り返し固定されるに伴って加えられる力によって、両規制突起が変形してベゼルを適正に固定する信頼性が低下する蓋然性が高い。
【０００８】
本発明の目的は、ベゼルの回転止めとその解除のための操作が容易であるとともに、回転止めの信頼性及び耐久性が高い時計を提供することにある。
【課題を解決するための手段】
【０００９】
本発明に係る時計は、カバーガラスを囲むベゼル配置部が形成された胴と、この胴に対し回転操作可能に前記ベゼル配置部に配置され、ベゼル配置部の底面に対向する裏面に、前記回転の方向に並んだ複数の凹凸からなる位置決め部及び前記回転の方向に並んだ複数の凹凸からなるロック部が形成されたベゼルと、前記胴に取付けられ、前記ベゼルの時計回り及び反時計回りの回転を許容するとともに前記ベゼルの回転が停止されたときにその位置に前記ベゼルを保持するように前記位置決め部に弾発的に係脱される位置決め手段と、前記胴と前記ベゼルの裏面との間に前記ベゼルの径方向に移動可能に配置されるとともに、この移動のために前記ベゼルの外周側から交互に押込み操作される操作凸部、前記移動に伴い前記ロック部に挿脱されるストッパ部、及び保持部を有したロック部材と、前記保持部に係脱されるように前記胴に取付けられ、前記ストッパ部が前記ロック部に係合する位置に前記ロック部材が移動されたときに前記保持部に弾発的に係合して前記ロック部材を保持する保持手段と、を具備している。
【００１０】
本発明で、ベゼルの位置決め部をなす複数の凹凸と、ベゼルのロック部をなす複数の凹凸とは、それらの凸同士及び凹同士がベゼルの半径方向に互いに並ぶように位置を合わせて設けることが好ましいが、位置決め部の凸又は凹とロック部の凹又は凸をベゼルの回転方向に位置をずらせて、例えば位置決め部の凸又は凹とロック部の凹又は凸がベゼルの半径方向に互いに並ぶように設けてもよい。
【００１１】
本発明で、位置決め手段は、後述の実施の形態で説明するものの他に、係止部を有し、ベゼルの時計回り及び反時計回りの回転時に位置決め部の凸に係止部が押されて弾性変形することにより前記凸の通過を許し、所望位置でベゼルの回転が停止されたときに、弾性力により、対向する位置決め部の凹に係止部が入り込むことによってベゼルを保持する板ばねを用いることも可能である。
【００１２】
本発明で、ロック部材は、操作凸部を除いた部位が環形であることが好ましいが、操作凸部を押したときに撓まない程度の強度を有していれば、前記部位が例えば略Ｃ字形状等の非環形をなしていてもよい。本発明で、ロック部材のストッパ部は、ロック部の一つの凹に挿入されてロック部と係合する一つの突起で形成できる他、ロック部の隣接した複数の凹に挿入されてロック部の少なくとも一つの凸を挟むようにロック部と係合する複数の突起、言い換えれば、これら突起間に形成されてロック部の少なくとも一つの凸に嵌合される１以上の溝で形成することもできる。
【００１３】
本発明で、保持手段は、後述の実施の形態で説明するものの他に、係止部を有し、ロック部材の移動時に係止部が押されて弾性変形し、ロック部材の移動が停止されたときに、弾性力により、ベゼルの保持部に係合することによってロック部材を保持する板ばねを用いることも可能である。又、本発明で、ロック部材の保持部は、後述の実施の形態で説明するものの他に、孔でもよく、或いは、ロック部材の一部をこの部材の裏面から突出するように設けた弾性変形可能な切起しで形成することができ、この切起しの先端部はロック部材の移動方向に沿う断面形状を半円弧状に形成するとよい。この場合、保持手段は、ベゼル配置部の底面に開放する溝で形成すればよい。
【００１４】
本発明の時計でベゼルを回転させるには、まず、ロック部材の一方の操作凸部をワンタッチ操作で押込んでロック部材をベゼルの径方向に移動させることにより、ストッパ部をベゼルのロック部から外してベゼルの回転が許される状態とした後に、ベゼルを手指で所望位置まで回転させればよい。この場合、位置決め手段がベゼルの位置決め部に対する弾発的な係脱を繰り返すので、ベゼルの回転に節度感が与えられる。そして、所望とする回転位置に達した時点で位置決め手段は位置決め部の凹に係合してベゼルを回転止めする。位置決め手段は、ベゼルが回転されるときには時計回り及び反時計回りの回転を許容しているので、ベゼルの回転が誤って行き過ぎても、このベゼルを更に略一回転させる必要がなく、逆方向に回転させる操作をして所望とする回転位置にベゼルを手軽に配置させることができる。
【００１５】
そして、この状態で、ロック部材の他方の操作凸部をワンタッチ操作で押込んでロック部材を前記押込みの場合とは逆方向にベゼルの径方向に移動させることにより、このロック部材のストッパ部をベゼルのロック部に挿入して係合させることができるとともに、ロック部材の保持部に保持手段が弾発的に係合して、ロック部材が胴に保持される。これにより、位置決め手段がベゼルの回転操作を一方向に規制するものではないにも拘わらず、意図しない外力等によりベゼルが不用意に回転されないようにベゼルを固定できる。
【００１６】
以上のようにベゼルの径方向にロック部材を移動させるに伴い、そのストッパ部をベゼル裏面のロック部に挿脱させて、ベゼルの回転止めとその解除を担ったので、ベゼルが回転止めされる際に、ベゼルに回転力が与えられて、このベゼルが不用意に回転されることがない。これとともに、ロック部材を回転させてベゼルを固定する場合に比較して、簡易にベゼルの回転止めとその解除のための操作を行える。更に、ベゼルを回転止めするのにロック部材がベゼルの径方向に移動するに伴って、過大な力を受けて変形する部分がないので、長期の使用においてベゼルの回転止めが繰り返し行われても、回転止めの信頼性及び耐久性が損なわれる恐れがない。しかも、ベゼルを回転止めする位置にロック部材が配置されたときには、保持手段がロック部材の保持部に弾発的に係合して節度感を与えるので、ベゼルが回転止めされたことが容易に知覚され、ベゼルの回転止めが不十分とならないようにできる。
【００１７】
本発明の好ましい形態では、前記ベゼルの外周部を正面側から保持する環状のベゼルホルダを前記胴に固定し、このベゼルホルダの径方向に対応する位置にガイド溝を設け、前記操作凸部を前記ガイド溝に挿入して前記ベゼルホルダから突出可能にしている。
【００１８】
この好ましい形態では、ベゼルホルダによってベゼルを胴から外れないように保持できるとともに、このベゼルホルダのガイド溝に操作凸部を摺動させることによって、ロック部材の移動をベゼルの径方向に制限できる。
【００１９】
本発明の好ましい形態では、前記ベゼルホルダから突出される前記操作凸部を１２時‐６時方向に配置している。
【００２０】
この好ましい形態では、通常３時方向に胴の周面から突出される竜頭等に邪魔されずに、操作凸部の押込み操作ができるので、ベゼルの回転止めとその解除のための操作性に優れる。
【００２１】
本発明の好ましい形態では、前記操作凸部の夫々に互いに異なる表示を付している。
【００２２】
一方の操作凸部はベゼルの回転止め状態でベゼルホルダから突出され、他方の操作凸部はベゼルの回転止めが解除された状態でベゼルホルダから突出される。そのため、この好ましい形態では、ベゼルホルダから突出された操作凸部の表示を使用者が視認してロック部材の状態を把握できる。したがって、回転止めされているベゼルが誤って回転操作されることを抑制する上でも、ロック部材によるベゼルの回転止めがなされたことを確認する上でも有用である。
【００２３】
本発明の好ましい形態では、前記位置決め部と前記ロック部とを前記ベゼルの半径方向に沿って連続して形成している。
【００２４】
この好ましい形態では、位置決め部とロック部とが連続しているので、これらをプレス型で作る場合には、プレス型の構造が簡単となり型費を低減でき、又、切削によって位置決め部とロック部を作る場合には、これらを同時に切削でき加工費を低減できるので好ましい。
【００２５】
本発明の好ましい形態では、前記位置決め手段を、球体からなり前記位置決め部に係脱される第１クリック部材と、この第１クリック部材を回転可能に支持して前記ベゼルの裏面に押付けるクリック用付勢体とで形成している。
【００２６】
この好ましい形態では、ベゼルの回転操作に伴い球体からなる第１クリック部材が回転を伴いながらクリック用付勢体を弾性変形させて、ベゼルの凹凸からなる位置決め部の通過を許すので、ベゼルの回転を円滑にできるとともに、第１クリック部材の局部摩耗を抑制する上で好ましい。
【００２７】
本発明の好ましい形態では、前記保持部を前記ロック部材の裏面に開放する溝又は孔で形成するとともに、前記保持手段を、球体からなり前記保持部に係脱される第２クリック部材と、このクリック部材を回転可能に支持して前記ロック部材の裏面に押付ける保持用付勢体とで形成している。
【００２８】
この好ましい形態では、ロック部材の移動操作に伴い球体からなる第２クリック部材が回転を伴いながら保持用付勢体を弾性変形させて、ロック部材の保持部に係脱されるので、ロック部材の移動開始が円滑であるとともに、第２クリック部材の局部摩耗を抑制する上で好ましい。
【００２９】
本発明の好ましい形態では、前記ロック部材の裏面に開放する溝又は孔で形成されるとともに、前記ストッパ部が前記ロック部から離脱した位置に前記ロック部材が移動されたときに前記保持手段が係合される他の保持部を、前記ロック部材に設けている。
【００３０】
この好ましい形態では、ロック部材に設けた他の保持部に保持手段が係合されることにより、ストッパ部がロック部から離脱した位置にロック部材が移動されたときに節度感を与えることができるとともに、前記離脱した位置でロック部材ががたつかないように保持できる。
【００３１】
本発明の好ましい形態では、前記位置決め部及び位置決め手段を前記ベゼルの内周寄りに設けるとともに、前記ロック部及び保持手段を前記ベゼルの外周寄りに設けている。
【００３２】
この好ましい形態では、前記ロック部及び保持手段をベゼルの内周寄りに設けた場合に比較して、ロック部材に位置決め手段を逃げる工夫を必要とすることがないので、構造が簡単である点で好ましい。
【００３３】
本発明の好ましい形態では、前記ベゼルホルダから突出された前記操作凸部の裏面を覆う裏面カバー部を、前記胴に一体に設けている。
【００３４】
この好ましい形態では、ベゼルホルダか突出された操作凸部が、その裏側から物が当たらないように裏面カバー部でガードされるので、操作凸部が不用意に押込まれてロック部材が移動される誤動作を抑制できる。
【００３５】
本発明の好ましい形態では、前記ベゼルホルダから突出された前記操作凸部の両側面を覆う側面カバー部を、前記ベゼルホルダに一体に設けている。
【００３６】
この好ましい形態では、ベゼルホルダから突出された操作凸部が、その裏側及び上側以外の方向から物が当たらないように側面カバー部でガードされるので、操作凸部が不用意に押込まれてロック部材が移動される誤動作を抑制できる。
【発明の効果】
【００３７】
本発明によれば、ベゼルの回転止めとその解除のための操作が容易であるとともに、回転止めの信頼性及び耐久性が高い時計を提供できる。
【発明を実施するための最良の形態】
【００３８】
図１〜図７を参照して本発明の第１実施形態を説明する。
【００３９】
図１〜図４中符号１０は携帯時計例えば腕時計を示している。この腕時計１０が備える時計外装組立には、図３及び図４に示すように時計ムーブメント１２、文字板１３、中枠１４等が内蔵されている。文字板１３は時計ムーブメント１２に取付けられている。時計ムーブメント１２は文字板１３に対向する表示針１５を駆動する。中枠１４は時計ムーブメント１２を時計外装組立に支持している。
【００４０】
図３及び図４に示すように時計外装組立は、胴１６と、カバーガラス１７と、裏蓋１８とを備えている。胴１６は環状をなしており好ましくは金属で作られている。カバーガラス１７は胴１６の厚み方向の一面（正面）側の開口を閉じて液密に装着されている。このカバーガラス１７を通して文字板１３及び表示針１５は視認可能である。裏蓋１８は胴１６の厚み方向の他面（裏面）側の開口を閉じて液密に装着されている。なお、図１及び図２中符号１９は竜頭を示している。
【００４１】
胴１６はその正面側に、正面方向（上方）に突出する円筒状の環状凸部２１と、この環状凸部２１を囲むベゼル配置部２２を有している。環状凸部２１の内側にリング形のパッキン２３を介してカバーガラス１７が装着されている。環状凸部２１の加工を簡単にするために、この環状凸部２１の外周面の径は各部同じとしてあり、後述するベゼルを外れ止めするための突起等は設けられていない。
【００４２】
ベゼル配置部２２の底面は、段差を介して連続する第１底面２２ａと第２底面２２ｂとからなる。第１底面２２ａは環状凸部２１の下端に略直角に連続している。第２底面２２ｂは第１底面２２ａの周囲にこれより低く設けられている。この段差状の底面と環状凸部２１の外周面とにより、胴１６の上方及び外周面に夫々開放されたベゼル配置部２２が区画されている。
【００４３】
図３及び図４に示すように胴１６に、少なくとも一つ例えば一対の位置決め手段をなす第１のクリックストップ機構２５と、好ましくは一対の保持手段をなす第２のクリックストップ機構３１が取付けられている。
【００４４】
第１のクリックストップ機構２５は、クリック用付勢体例えばコイルばね２７と、第１クリック部材例えば球体好ましくは鋼球２６とを有している。なお、この球体として、鋼球以外にセラミックス製や合成樹脂製の球体を用いることもできる。コイルばね２７は、胴１６の厚み方向に延びて第１底面２２ａに開放された穴１６ａ内に収容されている。穴１６ａの開放端は縮径されている。鋼球２６は、穴１６ａから外れないように穴１６ａ内に収容されて、コイルばね２７に回転可能に支持されている。穴１６ａ内のコイルばね２７は圧縮変形された状態であり、それにより、鋼球２６をその一部が第１底面２２ａから突出する方向に付勢している。
【００４５】
第２のクリックストップ機構３１は、第１のクリックストップ機構２５と同様な構成である。すなわち、第２のクリックストップ機構３１は、保持用付勢体例えばコイルばね３２と、第２クリック部材例えば球体好ましくは鋼球３３とを有している。なお、この球体として、鋼球以外にセラミックス製や合成樹脂製の球体を用いることもできる。コイルばね３２は、胴１６の厚み方向に延びて第２底面２２ｂに開放された穴１６ｂ内に収容されている。穴１６ｂの開放端は縮径されている。鋼球３３は、穴１６ｂから外れないように穴１６ｂ内に収容されて、コイルばね３２に回転可能に支持されている。穴１６ｂ内のコイルばね３２は圧縮変形された状態であり、それにより、鋼球３３をその一部が第２底面２２ｂから突出する方向に付勢している。
【００４６】
一対の第１のクリックストップ機構２５は、胴１６の内周寄りに位置して例えば腕時計１０の１２時‐６時方向に配設されている。同様に、一対の第２のクリックストップ機構３１は、胴１６の外周寄りに位置して例えば腕時計１０の１２時‐６時方向に配設されている。したがって、第１のクリックストップ機構２５と第２のクリックストップ機構３１は、腕時計１０の１２時‐６時を結ぶ直線上に並べられている。
【００４７】
胴１６のベゼル配置部２２にはベゼル３５が回転操作可能に配置されている。ベゼル３５は、金属又は合成樹脂により円環状に形成されていて、その内周に取付けた環状パッキン３６を環状凸部２１の外周面に接触させてこの環状凸部２１の外周面に沿って回転可能に嵌合されている。したがって、ベゼル３５はカバーガラス１７及び文字板１３を囲んで配置されている。
【００４８】
ベゼル３５の上面に、このベゼル３５を回転操作する際に手掛りとなる指掛け用の突起３５ａが複数例えば周方向に等間隔に形成されている。なお、ベゼル３５の上面には、このベゼル３５の回転操作の目安となる数字等のベゼル表示（図示しない）が設けられている。
【００４９】
ベゼル３５は、第１底面２２ａより大径であって、その外周に周方向に連続する外周凸部３５ｂを有している。ベゼル３５の裏面はベゼル配置部２２の底面をなした第１底面２２ａ及び第２底面２２ｂに対向され、この裏面に係合部３９が設けられている。この係合部３９は、ベゼル３５が回転される方向に例えば連続して並んだ複数の凹凸により形成されていて、各凹凸は、いずれもベゼル３５の中心に対する放射方向（半径方向）に延びている。前記凹凸の数は６０の整数倍である。
【００５０】
本実施形態では、係合部３９の内で第１底面２２ａに対向したベゼル３５の内周寄りの部位が位置決め部３７をなし、係合部３９の内で第２底面２２ｂに対向したベゼル３５の外周寄りの部位がロック部３８をなしている。そして、複数の凹凸により形成された位置決め部３７と、同じく複数の凹凸により形成されたロック部３８とは、ベゼル３５の半径方向に沿って連続して設けられている。言い換えれば、位置決め部３７及びロック部３８の凸同士及び凹同士がベゼル３５の半径方向に互いに並ぶように位置を合わせて設けられている。
【００５１】
図７のロック部３８で代表して示すように、位置決め部３７及びロック部３８をベゼル３５の周方向に沿って断面した場合の下向きの凸３９ａの断面、及びベゼル３５の裏面に開放する凹３９ｂの断面は、いずれも略三角形状をなしている。
【００５２】
胴１６の正面側にベゼルホルダ４１が固定されている。ベゼルホルダ４１は金属又は合成樹脂からなり、図５に示すように通孔４３と、一対の脚４４と、一対のガイド溝４５とを有している。
【００５３】
一対の脚４４は、腕時計１０の１２時‐６時方向に延びるように通孔４３のまわりに形成されていて、これら脚４４の長手方向両端部間にガイド溝４５が夫々形成されている。これらの脚４４の内側面４４ａは、後述のロック部材５１の移動を妨げないようにこのロック部材５１の部材主部５２を逃げるために例えば円弧状をなしている。
【００５４】
ベゼルホルダ４１の脚４４は第２底面２２ｂに当接されている。この脚４４の長手方向両端部を通るねじ４２を胴１６にねじ込むことによって、ベゼルホルダ４１が胴１６に取付けられている。この取付けによってベゼル３５の外周部がベゼルホルダ４１に保持されている。
【００５５】
詳しくは、ベゼル３５の外周凸部３５ｂに上方から通孔４３の孔縁部４３ａが被さっている。この場合、外周凸部３５ｂに対して孔縁部４３ａは、ベゼル３５の回転操作時の回転抵抗とならないように軽微に接触している。
【００５６】
胴１６へのベゼルホルダ４１の取付けによって、ベゼル３５の外周凸部３５ｂ以外の部位及びこのベゼル３５の内側に位置された環状凸部２１及びカバーガラス１７が通孔４３に通されるとともに、一対のガイド溝４５が腕時計１０の１２時‐６時方向に配置されている。
【００５７】
ベゼル３５の裏面と胴１６との間にロック部材５１が、胴１６の径方向、好ましくは腕時計１０の１２時‐６時方向に移動可能に配置されている。ロック部材５１は、金属又は合成樹脂からなり、図６等に示すように好ましくはリング状をなす部材主部５２に、一対の操作凸部５３，５４、ストッパ部５５、保持部として例えば第１の保持溝５６、及び他の保持部として第２の保持溝５７を設けて形成されている。
【００５８】
部材主部５２は、ベゼル３５の裏面と第２底面２２ｂとの間の隙間に略相当する厚み、言い換えれば、第１底面２２ａと第２底面２２ｂとの境をなす段差の高さに略相当する厚みを有している。リング状をなした部材主部５２の内径は、第１底面２２ａと第２底面２２ｂとの境をなす段差の径より大径である。これらの径差の範囲で部材主部５２は、第２底面２２ｂに沿って移動可能である。部材主部５２の外径は、腕時計１０の９時−３時方向を結んだ第２底面２２ｂの最大幅よりも小径である。
【００５９】
部材主部５２と一体の操作凸部５３，５４は、互いに１８０度隔てて部材主部５２から外側に突出されている。これらの操作凸部５３，５４は、その厚み及び幅が前記ガイド溝４５の深さ及び幅と略同じで、腕時計１０の１２時‐６時方向に配置されたガイド溝４５に摺動可能に挿入されている。いずれか一方の操作凸部は押込み操作が可能となるようにガイド溝４５を貫通してベゼルホルダ４１から外に突出されている。
【００６０】
図６に示すように一方の操作凸部例えば腕時計１０の１２時方向に位置された方の操作凸部５３の表面に、例えば「ＬＯＯＫ」なる文字が表示５３ａとして付されている。同様に、他方の操作凸部例えば腕時計１０の６時方向に位置された方の操作凸部５４の表面に、例えば「ＵＮＬＯＯＫ」なる文字が表示５４ａとして付されている。このように一対の操作凸部５３，５４の夫々に互いに異なる表示５３ａ，５４ａを付して、その視認によりロック部材５１の状態が把握できるようにしたので、回転止めされたベゼル３５に対する誤った回転操作を抑制する上でも、ロック部材５１によるベゼル３５の回転止めがなされたことを確認する上でも有用である。
【００６１】
ストッパ部５５は、ロック部材５１が腕時計１０の１２時‐６時方向に移動されるに伴い、ロック部３８の凹３９ｂに挿脱される単一の突起からなり、部材主部５２の上面に一体に突設されている。このストッパ部５５の先端部は凹３９ｂへの挿入を円滑にするために部材主部５２の内側に向けて先細に形成されている。
【００６２】
図３及び図４に示すように腕時計１０の１２時‐６時方向に位置された部材主部５２の部位の裏面の夫々には、この裏面に開放する第１の保持溝５６と第２の保持溝５７が夫々設けられている。そのため、第１の保持溝５６と第２の保持溝５７は腕時計１０の１２時‐６時方向に並んでいる。第１の保持溝５６は、部材主部５２の内周寄りに形成され、第２の保持溝５７は第１の保持溝５６よりも部材主部５２の外周寄りに形成されている。
【００６３】
次に、胴１６へのベゼル３５の取付け手順を説明する。
【００６４】
第１のクリックストップ機構２５及び第２のクリックストップ機構３１が既に取付けられた胴１６に対し、まず、ロック部材５１を、その一対の操作凸部５３，５４が腕時計１０の１２時‐６時方向に位置されるようにして、ベゼル配置部２２の第２底面２２ｂ上に載置する。これにより、ロック部材５１は、その通孔４３内に第１底面２２ａと第２底面２２ｂとの境をなす段差を収めるとともに、この段差をロック部材５１の部材主部５２が迂回するように配置される。
【００６５】
この後、環状パッキン３６が内周に取付けられたベゼル３５を胴１６の環状凸部２１の外周に嵌合させて、このベゼル３５を胴１６のベゼル配置部２２に配置する。次に、ベゼルホルダ４１を、そのガイド溝４５の夫々に操作凸部５３，５４のいずれかを収めながらベゼル３５の外周部に被せた後、このベゼルホルダ４１をねじ４２で胴１６に固定する。
【００６６】
最後に、表示５４ａが付された方の操作凸部５４がベゼルホルダ４１の外に突出されている場合には、この操作凸部５４を押込むことによって表示５３ａが付された方の操作凸部５３がベゼルホルダ４１の外に突出するようにロック部材５１を移動させる。
【００６７】
これにより胴１６へのベゼル３５の取付けが完了する。この組立て完了状態を図１（Ａ）（Ｂ）及び図３に示す。この状態では、一対の第１のクリックストップ機構２５の鋼球２６が、ベゼル３５の裏面に押付けられて、ベゼル３５の裏側からこのベゼル３５の位置決め部３７の凹３９ｂに入り込んで係合しているので、ベゼル３５は静止状態に保持される。これとともに、ロック部材５１のストッパ部５５が、ベゼル３５の外周側からこのベゼル３５のロック部３８の凹３９ｂに挿入されて、図７に示すようにロック部３８の凸３９ａに係合しているので、ベゼル３５が回転止めされる。
【００６８】
しかも、この状態で、ロック部材５１は第２のクリックストップ機構３１により静止状態に保持される。つまり、腕時計１０の１２時側に位置された第２のクリックストップ機構３１の鋼球３３が、ロック部材５１の裏面に押付けられて、ロック部材５１の操作凸部５３側に設けられた第１の保持溝５６及び第２の保持溝５７の内で第１の保持溝５６に、ロック部材５１の裏側から入り込んで係合している。同様に、腕時計１０の６時側に位置された第２のクリックストップ機構３１の鋼球３３が、ロック部材５１の裏面に押付けられて、ロック部材５１の操作凸部５４側に設けられた第１の保持溝５６及び第２の保持溝５７の内で第２の保持溝５７に、ロック部材５１の裏側から入り込んで係合している。
【００６９】
したがって、以上のようにロック部材５１を用いてベゼル３５が回転止めされた通常の使用状態では、ベゼル３５に回転力が加わっても、このベゼル３５が不容易に回転されることはない。又、ロック部材５１の表示５３ａが付された方の操作凸部５３がベゼルホルダ４１の外に突出されているので、使用者はベゼル３５が回り止めされた状態（ロック状態）にあることを視認できる。
【００７０】
次に、ベゼル３５を回転させる手順を説明する。
【００７１】
まず、ベゼルホルダ４１から突出している操作凸部５３を腕時計１０の６時方向にワンタッチ操作で押込んで、ロック部材５１を移動させる。この移動は、一対の第２のクリックストップ機構３１のクリックストップ動作を伴って行われる。
【００７２】
つまり、腕時計１０の１２時側に位置された第１の保持溝５６及び第２の保持溝５７とこれらに対応する位置の第２のクリックストップ機構３１との関係においては、ロック部材５１の移動開始に伴い、第２のクリックストップ機構３１の鋼球３３がコイルばね３２を圧縮しながら押し下げられて第１の保持溝５６から離脱し、引続いてロック部材５１が所定量移動されたときに第２の保持溝５７に対向するから、コイルばね３２の弾性力で弾発的に第２の保持溝５７内に鋼球３３が入り込んで係合する。
【００７３】
これと同時に、腕時計１０の６時側に位置された第１の保持溝５６及び第２の保持溝５７とこれらに対応する位置の第２のクリックストップ機構３１との関係においても、ロック部材５１の移動開始に伴い、第２のクリックストップ機構３１の鋼球３３がコイルばね３２を圧縮しながら押し下げられて第２の保持溝５７から離脱し、引続いてロック部材５１が所定量移動されたときに第１の保持溝５６に対向するから、コイルばね３２の弾性力で弾発的に第１の保持溝５６内に鋼球３３が入り込んで係合する。
【００７４】
以上のクリックストップ動作によって使用者は節度感を得られる。この状態では、図２（Ａ）（Ｂ）、及び図４に示すようにロック部材５１の操作凸部５３がベゼルホルダ４１内に入り込むとともに、「ＵＮＬＯＯＫ」なる表示５４ａを有した操作凸部５４がベゼルホルダ４１の外に突出される。したがって、使用者は、前記節度感、及びそれに伴って発される係合音、並びに表示５４ａの視認によって、ロック部材５１がロック位置からアンロック位置に適正に移動されたことを容易に知覚できる。
【００７５】
以上のロック部材５１の移動に伴い、そのストッパ部５５が、それまで係合していたロック部３８の凹３９ｂから離脱されるので、ロック部材５１によるベゼル３５の回転止め機能が失われる。
【００７６】
次に、ベゼル３５をその突起３５ａに指をかけて所望とする回転位置に達するまで回転させる。この回転に伴い、第１のクリックストップ機構２５の鋼球２６が位置決め部３７に対する断発的係合を繰り返すクリップストップ動作が行われるので、連続的に節度感を得ることができる。これとともに、第１のクリックストップ機構２５はベゼル３５の回転操作を一方向に制限するものではないので、ベゼル３５の回転が行き過ぎたときは、このベゼル３５を更に略一回転させる手間を要することなく、ベゼル３５の回転方向が逆となるように操作することで、所望とする回転位置にベゼル３５を容易に合わせことができる。そして、所望とする回転位置に達したベゼル３５は、その位置決め部３７への第１のクリックストップ機構２５の鋼球２６の係合により、静止状態に保持される。
【００７７】
しかも、図４に示すようにベゼル３５の内周側裏面は第１底面２２ｂに近接しており、ベゼル３５の外周側裏面は、ロック部材５１の部材主部５２の二箇所、つまり、径方向に対応する位置に近接している。そのため、ベゼル３５の回転操作において、ベゼル３５が環状凸部２１に対して傾くことが抑制されて、ベゼル３５を容易に回転させることができる。
【００７８】
最後に、胴１６から突出している操作凸部５４を腕時計１０の１２時方向にワンタッチ操作で押込んで、第２のクリックストップ機構３１のクリックストップ動作を伴ってロック部材５１を移動させる。それにより、既述のようにロック部材５１のストッパ部５５が、ベゼル３５の外周側からこのベゼル３５のロック部３８の凹３９ｂに挿入してロック部３８に係合するので、ベゼル３５が回転止めされる。
【００７９】
これとともに、図１（Ａ）（Ｂ）、及び図３に示すようにロック部材５１の操作凸部５４がベゼルホルダ４１内に入り込むとともに、「ＬＯＯＫ」なる表示５３ａを有した操作凸部５３が胴１６の外周から突出するように配置される。この場合にも、使用者は、第２のクリックストップ機構３１のクリックストップ動作による節度感、及びそれに伴って発される係合音、並びに表示５３ａの視認によって、ロック部材５１がアンロック位置からロック位置に適正に移動されたことを容易に知覚できる。これにより、ロック部材５１の移動が中途半端とならないようにできるので、ベゼル３５の回転止めが不十分とならないようにできる。
【００８０】
以上説明したように前記構成の腕時計１０は、ベゼル３５を回転させる際に、ロック部材５１を一往復させるために操作凸部５３，５４を交互に押込み操作する。そして、この押込みにより、ベゼル３５の径方向である腕時計の１２時‐６時方向にロック部材５１を移動させるに伴い、そのストッパ部５５をベゼル３５の裏面のロック部３８に挿脱させて、ベゼル３５の回転止めとその解除を担っている。そのため、ベゼル３５が回転止めされる際に、ベゼル３５に回転力が与えられることがないので、このベゼル３５が不用意に回転されて、ベゼル３５が所望とする回転位置からずれ動く恐れがない。
【００８１】
そして、回転操作を伴ってベゼル３５を回転止めする場合に比較して、ベゼル３５の回転止めとその解除のための操作を、ロック部材５１のワンタッチの押込み操作によりできるので、操作が簡易である。
【００８２】
更に、ベゼル３５を回転止めするのにロック部材５１がベゼル３５の径方向に移動するに伴って、過大な力を受けて変形する部分がない。このため、長期の使用においてベゼル３５の回転止めが繰り返し行われても、回転止めの信頼性及び耐久性が損なわれる恐れがない。したがって、胴１６の環状凸部２１の外周面及び胴１６の内周面にベゼル３５を外れ止めするための突起を形成しなくてもよいから、加工が容易になる。
【００８３】
なお、ベゼルホルダ４１は用いるが、このベゼルホルダ４１でベゼル３５の外れ止めをしない場合には、ベゼル３５を外れ止めするための突起を環状凸部２１の外周面に形成するとともに、これに対して下側から係合する突起をベゼル３５の内周に形成して実施することも可能である。
【００８４】
前記腕時計１０は、ベゼル３５の外周凸部３５ｂを正面側（上側）から保持する環状のベゼルホルダ４１を胴１６に固定し、このベゼルホルダ４１の径方向に対応する位置にガイド溝４５を設け、これらガイド溝４５の夫々にロック部材５１が有した操作凸部５３又は５４を挿入している。これにより、ベゼルホルダ４１によってベゼル３５を胴１６から外れないように保持できる。これとともに、ベゼルホルダ４１のガイド溝４５に操作凸部５３，５４を摺動させたので、ロック部材５１の移動をベゼル３５の径方向に制限するようにガイドすることができる。
【００８５】
既述のようにベゼルホルダ４１から突出される一対の操作凸部５３，５４を１２時‐６時方向に配置したので、これら操作凸部５３，５４の交互押込み操作を、通常３時方向に胴１６の周面から突出される竜頭１９等に邪魔されずにできる。そのため、ベゼル３５の回転止めとその解除のためになされるロック部材５１の操作性が良い。
【００８６】
しかも、操作凸部５３，５４は、図３及び図４に示すように胴１６から斜め下方に突出されたかん足１６ｃより上方に位置されている。これにより、操作凸部５３，５４の押込み操作において、かん足１６ｃ及びこれに接続された図示しないバンド等の腕装着部材が邪魔となることが抑制されるので、ロック部材５１の操作性が良い。
【００８７】
既述のように位置決め部３７とロック部３８とはベゼル３５の裏面にこのベゼル３５の半径方向に沿って連続して形成されている。そのため、位置決め部３７とロック部３８をプレス型で作る場合には、プレス型の構造が簡単となり型費を低減できる。又、位置決め部３７とロック部３８を切削によって作る場合には、これらを同時に切削できるので、加工費を低減できる。
【００８８】
既述のようにベゼル３５の位置決め手段をなす第１のクリックストップ機構２５は、ベゼル３５の位置決め部３７に係脱される第１クリック部材をなす鋼球２６と、この鋼球２６を回転可能に支持してベゼル３５の裏面に押付けるクリック用付勢体としてのコイルばね２７とで形成されている。このため、ベゼル３５の回転操作に伴い、鋼球２６が回転を伴いながらコイルばね２７を弾性変形させて、ベゼル３５の凹凸からなる位置決め部３７の通過を許すので、ベゼル３５の回転を円滑にできるとともに、鋼球２６の局部摩耗を抑制できる。
【００８９】
同様に、ロック部材５１の保持手段をなす第２のクリックストップ機構３１は、保持部をなす第１の保持溝５６及び第２の保持溝５７に係脱される第２クリック部材をなす鋼球３３と、この鋼球３３を回転可能に支持してロック部材５１の裏面に押付ける保持用付勢体としてのコイルばね３２とで形成されている。このため、ロック部材５１の移動操作に伴い、鋼球３３が回転を伴いながらコイルばね３２を弾性変形させて、ロック部材５１の第１の保持溝５６及び第２の保持溝５７に係脱されるので、ロック部材５１の移動開始が円滑であるとともに、鋼球３３の局部摩耗を抑制できる。
【００９０】
既述のようにロック部材５１には、一対の第２のクリックストップ機構３１の鋼球３３が係合される第１の保持溝５６及び第２の保持溝５７が設けられ、これらの保持溝５６，５７には、ストッパ部５５がベゼル３５のロック部３８から離脱した位置にロック部材５１が移動されたときに鋼球３３が係合される。この係合により、ストッパ部５５がロック部３８から離脱した位置にロック部材５１が移動されたときに節度感を与えることができるとともに、ロック部材５１を前記離脱した位置にがたつかないように保持できる。
【００９１】
更に、既述のように位置決め部３７及び位置決め手段をなす第１のクリックストップ機構２５がベゼル３５の内周寄りに設けられ、ロック部３８及び保持手段をなす第２のクリックストップ機構３１がベゼル３５の外周寄りに設けられている。このため、ロック部３８及び第２のクリックストップ機構３１をベゼル３５の内周寄りに設けた場合に比較して、第１のクリックストップ機構２５を逃げる工夫をロック部材５１に必要とすることがないので、構造が簡単である。
【００９２】
図８〜図１１は本発明の第２実施形態を示している。この第２実施形態は以下説明する事項以外は第１実施形態と同じである。そのため、第１実施形態と同じ構成については第１実施形態と同一符号を付してその説明を作用とともに省略し、以下第１実施形態とは異なる事項を説明する。
【００９３】
第２実施形態では、胴１６の例えば１２時側と６時側とに夫々に裏面カバー部１６ｄ，１６ｅを一体に設けている。これら裏面カバー部１６ｄ，１６ｅは、ロック部材５１の操作凸部５３，５４を結ぶ直線に直交する方向、具体的には図８及び図９に示すように腕時計１０の９時‐３時方向に沿って延びている。
【００９４】
図１０に示すように裏面カバー部１６ｄは、ストッパ部５５がロック部３８に係合する位置にロック部材５１が移動されたときに、ベゼルホルダ４１から突出された１２時側の操作凸部５３の裏面を覆うように設けられている。同様に、図１１に示すように裏面カバー部１６ｅは、ストッパ部５５がロック部３８から離脱した位置にロック部材５１が移動されたときに、ベゼルホルダ４１から突出された６時側の操作凸部５４の裏面を覆うように設けられている。
【００９５】
このため、ベゼルホルダ４１から突出された操作凸部５３に、その裏側から物が当たらないように裏面カバー部１６ｄでガードできるとともに、ベゼルホルダ４１から突出された操作凸部５４に、その裏側から物が当たらないように裏面カバー部１６ｅでガードできる。したがって、腕時計１１の使用時等において操作凸部５３，５４が不用意に押込まれてロック部材５１が移動される誤動作を抑制できる。
【００９６】
更に、ベゼルホルダ４１に側面カバー部４１ａ，４１ｂが一体に形成されている。これらの側面カバー部４１ａは、操作凸部５３がベゼルホルダ４１から突出されたときに、この操作凸部５３の側面を覆うように左右一対設けられている。同様に、側面カバー部４１ｂは、操作凸部５４がベゼルホルダ４１から突出されたときに、この操作凸部５４の両側面を覆うように左右一対設けられている。これらの側面カバー部４１ａ，４１ｂの上面は、図１０及び図１１に示すようにベゼルホルダ４１から斜状に下がっている。
【００９７】
このため、ベゼルホルダ４１から突出された操作凸部５３に、その上側及び裏側以外の方向から物が当たらないように側面カバー部４１ａでガードできるとともに、ベゼルホルダ４１から突出された操作凸部５４に、その上側及び裏側以外の方向から物が当たらないように側面カバー部４１ｂでガードできる。したがって、腕時計１１の使用時等において操作凸部５３，５４が不用意に押込まれてロック部材５１が移動される誤動作を抑制できる。
【００９８】
以上説明した事項以外は第１実施形態と同じである。したがって、この第２実施形態でも、第１実施形態で既に説明した作用を得て、本発明の所期の課題を解決できる。
【図面の簡単な説明】
【００９９】
【図１】（Ａ）は本発明の第１実施形態に係る腕時計をこの時計が備えるベゼルが回転止めされた状態で示す正面図。（Ｂ）は図１（Ａ）の腕時計をこの時計が備えるベゼルホルダを断面した状態で示す正面図。
【図２】（Ａ）は本発明の第１実施形態に係る腕時計をこの時計が備えるベゼルの回転を許容した状態で示す正面図。（Ｂ）は図２（Ａ）の腕時計をこの時計が備えるベゼルボルダを断面した状態で示す正面図。
【図３】図１（Ａ）中Ｆ３−Ｆ３線に沿って示す腕時計の断面図。
【図４】図２（Ａ）中Ｆ４−Ｆ４線に沿って示す腕時計の断面図。
【図５】第１実施形態に係る腕時計が備えるベゼルボルダを示す裏面図。
【図６】第１実施形態に係る腕時計が備えるロック部材を示す平面図。
【図７】第１実施形態に係る腕時計が備えるベゼルとロック部材との係合箇所を示す断面図。
【図８】本発明の第２実施形態に係る腕時計をこの時計が備えるベゼルが回転止めされた状態で示す正面図。
【図９】第２実施形態に係る腕時計をこの時計が備えるベゼルの回転を許容した状態で示す正面図。
【図１０】図８（Ａ）中Ｆ１０−Ｆ１０線に沿って示す腕時計の断面図。
【図１１】図９（Ａ）中Ｆ１１−Ｆ１１線に沿って示す腕時計の断面図。
【符号の説明】
【０１００】
１０…腕時計（時計）
１６…胴
１６ｄ、１６ｅ…裏面カバー部
１７…カバーガラス
２１…環状凸部
２２…ベゼル配置部
２２ａ…第１底面（ベゼル配置部の底面）
２２ｂ…第２底面（ベゼル配置部の底面）
２５…第１のクリックストップ機構（位置決め手段）
２６…コイルばね（クリック用付勢体）
２７…球体をなす鋼球（第１クリック部材）
３１…第２のクリックストップ機構（保持手段）
３２…コイルばね（保持用付勢体）
３３…球体をなす鋼球（第２クリック部材）
３５…ベゼル
３５ｂ…外周凸部
３７…位置決め部
３８…ロック部
３９…係合部
３９ａ…係合部の凸
３９ｂ…係合部の凹
４１…ベゼルホルダ
４１ａ，４１ｂ…側面カバー部
４５…ガイド溝
５１…ロック部材
５２…部材主部
５３，５４…操作凸部
５３ａ，５４ａ…表示
５５…ストッパ部
５６…第１の保持溝（保持部）
５７…第２の保持溝（他の保持部）
【図１】
2008275532.tif 000003
【図２】
2008275532.tif 000004
【図３】
2008275532.tif 000005
【図４】
2008275532.tif 000006
【図５】
2008275532.tif 000007
【図６】
2008275532.tif 000008
【図７】
2008275532.tif 000009
【図８】
2008275532.tif 000010
【図９】
2008275532.tif 000011
【図１０】
2008275532.tif 000012
【図１１】
2008275532.tif 000013